(57)【要約】【課題】デジタル放送のチャンネル切り替え時の表示不能期間を短縮する放送受信装置と邦送受信装置のデコード方法を提供する。【解決手段】チャンネルの操作信号を出力する操作部（１８）と、指定されたチャンネルのデジタル放送信号を受信し映像音声信号を出力するチューナ部（１１）と、チューナ部からの映像音声信号を受け、指示信号に応じて後段に出力するスイッチ部（２０）と、スイッチ部からの映像音声信号をデコードして再生するデコーダ部（１５）と、第１チャンネルから第２チャンネルに切り替える操作信号が操作部から与えられると、チャンネル切換の第１タイミング（ｔ１）でスイッチ部をオフし（Ｓ２１）チューナ部のチャンネルを第２チャンネルに変更し（Ｓ２２）、第１タイミング（ｔ１）から所定時間後の第２タイミング（ｔ２）でスイッチ部をオン（Ｓ２４）する制御部（１９）を有する放送受信装置。【選択図】      図１
2008092230.tif 000002
【特許請求の範囲】
【請求項１】
チャンネルの操作信号を出力する操作部と、
指定されたチャンネルのデジタル放送信号を受信し映像音声信号を出力するチューナ部と、
前記チューナ部からの映像音声信号を受け、指示信号に応じて後段に出力するスイッチ部と、
前記スイッチ部からの前記映像音声信号をデコードして再生するデコーダ部と、
第１チャンネルから第２チャンネルに切り替える操作信号が前記操作部から与えられると、前記チャンネル切換の第１タイミングで前記スイッチ部をオフし前記チューナ部のチャンネルを前記第２チャンネルに変更し、前記第１タイミングから所定時間後の第２タイミングで前記スイッチ部をオンする制御部と、を具備することを特徴とする放送受信装置。
【請求項２】
前記制御部は、前記第２タイミングで前記デコーダ部をオフし、その後前記スイッチ部をオンし、その後前記デコーダ部をオンすることを特徴とする請求項１記載の放送受信装置。
【請求項３】
前記第１タイミングと前記第２タイミングとの間の所定時間とは、前記チューナ部のチャンネルを変更しても変更前のチャンネルの画像が前記デコーダ部の出力として出力されている期間であることを特徴とする請求項１記載の放送受信装置。
【請求項４】
前記デコーダ部からのデコード信号を表示又は記録する処理部を更に有することを特徴とする請求項１記載の放送受信装置。
【請求項５】
チャンネルの操作信号を出力する操作部と、
指定されたチャンネルのデジタル放送信号を受信し映像音声信号を出力するチューナ部と、
前記チューナ部からの映像音声信号を受け、指示信号に応じて後段に出力する第１スイッチ部と、
前記第１スイッチ部からの前記映像音声信号をデコードして再生する第１デコーダ部と、
前記チューナ部からの映像音声信号を受け、指示信号に応じて後段に出力する第２スイッチ部と、
前記第２スイッチ部からの前記映像音声信号をデコードして再生する第２デコーダ部と、
前記第１デコーダと前記第２デコーダの再生信号を受けて一方を出力するセレクタ部と、
前記チューナ部のチャンネルと前記第１スイッチと前記第２スイッチと前記第１デコーダと前記第２デコーダと前記セレクタ部とを制御することで、前記操作部からのチャンネル操作信号に応じた映像音声信号を出力させるべく制御する制御部と、
を具備することを特徴とする放送受信装置。
【請求項６】
前記制御部は、第１チャンネルから第２チャンネルに切り替える操作信号が前記操作部から与えられると、前記チャンネル切換の第１タイミングで前記チューナ部のチャンネルを前記第２チャンネルに変更し、
前記第１デコーダを前記第１チャンネルの映像音声信号のためだけに使用し、前記第２デコーダを前記第２チャンネルの映像音声信号のためだけに使用するべく制御することを特徴とする請求項５記載の放送受信装置。
【請求項７】
前記制御部は、第１チャンネルから第２チャンネルに切り替える操作信号が前記操作部から与えられると、前記チャンネル切換の第１タイミングで前記チューナ部のチャンネルを前記第２チャンネルに変更し、
前記複数のデコーダの一方を、前記デコーダに接続されたバッファに残留した映像音声信号の表示のために使用し、複数のデコーダの他方を、前記チャンネル切換前の第１チャンネルの映像音声信号の表示及び第２チャンネルの映像音声信号の表示のために使用するべく制御することを特徴とする請求項５記載の放送受信装置。
【請求項８】
チャンネルの操作信号を出力する操作部と、指定されたチャンネルのデジタル放送信号を受信し映像音声信号を出力するチューナ部と、前記チューナ部からの映像音声信号を受け、指示信号に応じて後段に出力するスイッチ部と、前記スイッチ部からの前記映像音声信号をデコードして再生するデコーダ部を有する放送受信装置におけるエンコード方法であって、
第１チャンネルから第２チャンネルに切り替える操作信号が前記操作部から与えられると、前記チャンネル切換の第１タイミングで前記スイッチ部をオフし前記チューナ部のチャンネルを前記第２チャンネルに変更し、前記第１タイミングから所定時間後の第２タイミングで前記スイッチ部をオンすることにより前記映像音声信号をデコードすることを特徴とするデコード方法。
【請求項９】
前記第２タイミングで前記デコーダ部をオフし、その後前記スイッチ部をオンし、その後前記デコーダ部をオンすることを特徴とする請求項８記載のデコード方法。
【請求項１０】
前記第１タイミングと前記第２タイミングとの間の所定時間とは、前記チューナ部のチャンネルを変更しても変更前のチャンネルの画像が前記デコーダ部の出力として出力されている期間であることを特徴とする請求項８記載のデコード方法。
【発明の詳細な説明】
【技術分野】
【０００１】
この発明は、デジタル放送信号の放送受信装置及び放送受信装置のデコード方法に関する。
【背景技術】
【０００２】
最近、デジタル放送の普及が進み、多くのデジタル放送受信装置が開発され使用されている。このようなデジタル放送の受信装置において、デジタル放送受信時のチャンネル切り替えは、ＭＰＥＧ（Moving Picture Expert Group）の仕組み上、Ｄｅｍｕｘ／Ｉ−Ｐｉｃｔｕｒｅ待ち時間／VBV-delayなどが必要なため、アナログ放送よりも切り替えにかかる時間がかかる。
【０００３】
特許文献１は、番組を切り替える際に、表示不能期間を極力発生させいないようにするべく、次の番組のＩ−ピクチャが出現できる時刻を予測し、その時刻からチューナ設定時間を引いた時刻まで現在の表示中の番組を表示することが開示されている。
【特許文献１】特開２００５−１８４４５７公報
【発明の開示】
【発明が解決しようとする課題】
【０００４】
しかし、特許文献１の従来技術では、チャンネル切り替え時にゴミ映像が出ないよう、切り替え前後にデコードの停止／開始動作を行うことにより、切り替え待ち時間が長いという問題がある。
【０００５】
本発明は、デジタル放送のチャンネル切り替え時の表示不能期間を短縮する放送受信装置と邦送受信装置のデコード方法を提供することを目的とする。
【課題を解決するための手段】
【０００６】
課題を解決するための手段の一実施形態は、チャンネルの操作信号を出力する操作部（１８）と、指定されたチャンネルのデジタル放送信号を受信し映像音声信号を出力するチューナ部（１１）と、前記チューナ部からの映像音声信号を受け、指示信号に応じて後段に出力するスイッチ部（２０）と、前記スイッチ部からの前記映像音声信号をデコードして再生するデコーダ部（１５）と、第１チャンネルから第２チャンネルに切り替える操作信号が前記操作部から与えられると、前記チャンネル切換の第１タイミング（ｔ１）で前記スイッチ部をオフし（Ｓ２１）前記チューナ部のチャンネルを前記第２チャンネルに変更し（Ｓ２２）、前記第１タイミング（ｔ１）から所定時間後の第２タイミング（ｔ２）で前記スイッチ部をオン（Ｓ２４）する制御部（１９）を具備することを特徴とする放送受信装置である。
【発明の効果】
【０００７】
チャンネル切換時から所定時間、エンコーダ手前のスイッチをオフすることで、先チャンネル映像と後チャンネル映像とを分離することができ、これにより、先チャンネル映像の蓄積された分が表示可能となるため、チャンネル切換時の表示不能期間を短縮できる。
【発明を実施するための最良の形態】
【０００８】
以下、この発明の実施の形態について図面を参照して詳細に説明する。
【０００９】
＜本発明の一実施形態に係るデジタル放送受信装置＞
本発明の一実施形態に係るデジタル放送受信装置について、図面を用いて詳細に説明する。図１は、本発明の一実施形態に係る放送受信装置の構成の一例を示すブロック図である。
【００１０】
（構成）
本発明の一実施形態に係るデジタル放送受信装置Ｒ１は、図１の（ａ）に示すように、一例として、デジタル地上波チューナ、デジタルＢＳチューナ，デジタルＣＳチューナ等のチューナ部１と、チューナ部１からの映像音声信号を受けて後段に供給するスイッチ部２０と、スイッチ部２０からの映像音声信号が供給される一時格納するＳＴＤバッファ１４と、この映像音声信号をデコードするＭＰＥＧデコーダ等のデコーダ１５と、デコーダ１５からの出力を高画質化したりスケール処理等を施す映像処理部１６と、映像処理部１６からの映像信号を画面表示するディスプレイ１７を有する。又、映像処理部からの映像信号を記録する記録装置であることも好適である。
【００１１】
又、このチューナ部１は、アンテナ等から供給されるデジタル放送信号のうち指定チャンネルに同調したデジタル放送信号を取得するチューナ１１と、取得したデジタル放送信号を復調して音声映像信号を出力する復調部１２と、この音声映像信号を音声信号と映像信号に分離する分離部１３を有している。
【００１２】
又、本発明の一実施形態に係るデジタル放送受信装置Ｒ１は、更に、図示しないリモコン等からのチャンネル切換等の操作信号を受けたり本体の操作スイッチの操作に応じた操作信号を出力する操作部１８と、この操作部１８からの操作信号に応じて全体の動作を制御する制御部１９を有している。
【００１３】
又、本発明の一実施形態に係るデジタル放送受信装置Ｒ２は、図１の（ｂ）に示すように、複数のＳＴＤバッファ１４、ＳＴＤバッファ１４’と、複数の第１デコーダ１５、第２デコーダ１５’とを有する構成をもつものである。
【００１４】
すなわち、本発明の一実施形態に係るデジタル放送受信装置Ｒ２は、図１の（ｂ）に示すように、一例として、デジタル地上波チューナ、デジタルＢＳチューナ，デジタルＣＳチューナ等のチューナ部１と、チューナ部１からの映像音声信号を受けて後段に供給するスイッチ部２０，２０’と、スイッチ部２０，２０’からの映像音声信号が供給される一時格納するＳＴＤバッファ１４，ＳＴＤバッファ１４’と、この映像音声信号をデコードするＭＰＥＧデコーダ等の第１デコーダ１５、第２デコーダ１５’と、各デコーダ１５、１５’からの出力を選択的に出力するセレクタ２１と、セレクタ２１からの出力を高画質化したりスケール処理等を施す映像処理部１６と、映像処理部１６からの映像音声信号を画面表示するディスプレイ１７を有する。
【００１５】
又、本発明の一実施形態に係るデジタル放送受信装置Ｒ２は、更に、図示しないリモコン等からのチャンネル切換等の操作信号を受けたり本体の操作スイッチの操作に応じた操作信号を出力する操作部１８と、この操作部１８からの操作信号に応じて全体の動作を制御する制御部１９を有している。
【００１６】
このような構成のデジタル放送受信装置Ｒ１においては、以下のようにデジタル放送を受信し再生する。すなわち、操作部１８等から与えられるチャンネル指示信号に応じて、制御部１９の制御によりチューナ１１が同調したデジタル放送信号を復調部１２が復調して映像音声信号を出力する。この映像音声信号は、分離部１３において、映像信号と音声信号とに分離される。スイッチＳ２０を経由してＳＴＤバッファ１４に供給された映像信号及び音声信号は、デコーダ１５のＭＰＥＧデコーダ等によりデコードされ、この映像信号は、映像処理部１６で高画質化されたりスケール処理等を施されて、ディスプレイ１７上に表示される。又、音声信号は、図示しないオーディオ部で増幅処理等されて図示しない外部端子等を経由して外部スピーカ等に出力される。
【００１７】
＜デジタル放送受信装置のデコード処理＞
（本発明の特徴をもっていないチャンネル切換時のデコード処理）
初めに、上述した構成のデジタル放送受信装置の、本発明の特徴をもっていないデコード処理を、図２のフローチャートを用いて説明する。図２は、本発明の特徴をもっていないチャンネル切換時のデコード処理の一例を示すフローチャートである。又、図４の（ａ）は、このときのデコード処理の一例を示すタイミングチャートを示している。
【００１８】
放送受信装置Ｒ１は、図２のフローチャートにおいて、操作部１８から例えばＡチャンネルからＢチャンネルへのチャンネル切換信号を受けると（ステップＳ１０）、このタイミング（ｔ１）で、デコーダ１５を停止する（ステップＳ１１）。そして、このタイミング（ｔ１）でチューナ１１においてＡチャンネルからＢチャンネルへのチャンネル切換を行なう（ステップＳ１２）。
【００１９】
そして、タイミング（ｔ１）から所定時間経過したタイミング（ｔ２）において、Ｂチャンネルの分離部１３からの出力を開始する（ステップＳ１３）。そして、このタイミング（ｔ２）で、デコーダ１５の動作を再開させる（ステップＳ１４）。なお、この所定時間Ｔ１２とは、ＳＴＤバッファ１４に先のＡチャンネルの映像音声信号が残留している時間である。
【００２０】
このような手順をとることで、一例として、図４の（ａ）のようなタイミングで図１の出力Ｘがディスプレイ１７に供給される。すなわち、期間Ｔ１１では、Ａチャンネルが表示され、期間Ｔ１２（一例として約１．２秒）では黒画面が表示され、期間Ｔ１３（一例として約０．８秒）でも黒画面が表示され、期間Ｔ１４では、Ｂチャンネルが表示される。ここでのチャンネル切換時の黒画面期間は、約２．０秒となる。
【００２１】
この方法は、デコーダ１５の停止によりＡチャンネルとＢチャンネルとの画像の分離を図っているため、チャンネル切換時の黒画面期間は、かなり長いものとなる。このチャンネル切換時の黒画面期間（ここでは約２．０秒）をできるだけ短縮し、ユーザのチャンネル切換時の違和感を解消することが課題となる。
【００２２】
（スイッチ処理を伴うチャンネル切換時のデコード処理）
次に、このデジタル放送受信装置の、スイッチ処理を伴うチャンネル切換時のデコード処理を図３のフローチャート及び図４のタイミングチャートを用いて説明する。図３は、本発明の一実施形態に係る放送受信装置のチャンネル切換時のデコード処理の一例を示すフローチャートである。又、図４の（ｂ）は、このときのデコード処理の一例を示すタイミングチャートを示している。なお、以下の図３のフローチャートの各ステップは、回路ブロックに置き換えることができ、従って、各フローチャートのステップは、全てブロックに定義しなおすことが可能である。
【００２３】
この方法では、チャンネル切換時から所定時間、エンコーダ手前のスイッチをオフすることで、先チャンネル映像と後チャンネル映像とを分離するものである。これにより、先チャンネル映像の蓄積された分が（後チャンネル映像と混合することなく）表示可能となるため、チャンネル切換時の表示不能期間を短縮することができる。
【００２４】
すなわち、放送受信装置Ｒ１の制御部１９は、図３のフローチャートにおいて、操作部１８から例えばＡチャンネルからＢチャンネルへのチャンネル切換信号を受けると（ステップＳ２０）、このタイミング（ｔ１）で、分離部１３とＳＴＤバッファ１４とをスイッチ２０で切断する（ステップＳ２１）。そして、このタイミング（ｔ１）でチューナ１１においてＡチャンネルからＢチャンネルへのチャンネル切換を行なう（ステップＳ２２）。
【００２５】
そして、放送受信装置Ｒ１の制御部１９は、タイミング（ｔ１）から所定時間経過したタイミング（ｔ２）において、Ｂチャンネルの分離部１３からの出力を開始する（ステップＳ２３）。そして、このタイミング（ｔ２）で、デコーダ１５を停止する（ステップＳ２５）。次に、放送受信装置Ｒ１の制御部１９は、このタイミング（ｔ２）で、スイッチ２０により分離部１３とデコーダ１４を再接続する（ステップＳ２４）。次に、このタイミング（ｔ２）で、デコーダ１５を再開する（ステップＳ２５）。なお、この所定時間Ｔ１２とは、ＳＴＤバッファ１４に先のチャンネルの映像信号が残留している時間である。
【００２６】
ここでは、デコーダ１５の停止（ステップＳ２５）→スイッチ２０の再接続（ステップＳ２４）→デコーダ１５の再開（ステップＳ２６）の順番は守られなければならない。これは、デコーダ１５を一度停止することで、内部のＡチャンネルの映像音声信号をリセットしてＡチャンネルの映像とＢチャンネルの映像が混在した画面となることを回避する意味がある。
【００２７】
しかしながら、このステップＳ２５のデコーダ１５の一時停止（及びデコーダ１５の再開）を省略することも好適である。この場合は動作を簡略させることにより処理負担を軽減することで動作安定性を高めることが可能となる。
【００２８】
なお、タイミング（ｔ１）から所定時間経過したタイミング（ｔ２）、更に、タイミング（ｔ３）については、実際にデジタル受信装置を稼動させて繰り返し実測値をとることにより決定されることが好適である。
【００２９】
このようにスイッチ処理を伴う手順をとることで、一例として、図４の（ｂ）のようなタイミングで図１の出力Ｘがディスプレイ１７に供給される。すなわち、期間Ｔ２１及び期間Ｔ２２（一例として約１．２秒）で、Ａチャンネルが表示され、期間Ｔ２３（一例として約０．８秒）では黒画面が表示され、期間Ｔ４４では、Ｂチャンネルが表示される。ここでのチャンネル切換時の黒画面期間は、一例として、約０．８秒、約４０％への時間短縮が可能となる。なお、この黒画面期間Ｔ２３は、画面出力をミュートするか静止画を出力することが好適である。
【００３０】
（複数デコーダによるチャンネル切換時のデコード処理：図５）  
次に、図１（ｂ）のデジタル放送受信装置Ｒ２のように複数デコーダによる処理を図５を用いて詳細に説明する。図５は、本発明の一実施形態に係る放送受信装置のチャンネル切換時のデコード処理の他の一例を示すタイミングチャートである。
【００３１】
この図５のデコード処理は、一方のデコーダを変更前のＡチャンネルの映像音声処理に用い、他方のデコーダを変更後のＢチャンネルの映像音声処理に用いるものである。
【００３２】
すなわち、この複数デコーダによるチャンネル切換時のデコード処理は、放送受信装置Ｒ１の制御部１９が行なうもので、図５に示すスイッチ２０、第１デコーダ１５、スイッチ２０’、第１デコーダ１５’、セレクタ２１の各タイミングの動作を示した表により特定されるものである。ここで、白丸はアクティブ又はスイッチオン、黒丸はイナクティブ又はスイッチオフを示しており、セレクタ２１の“１”は、第１デコーダ１５の出力、“２”は、第２デコーダ１５’の出力が選択されたことを示す。
【００３３】
すなわち、チャンネル切換前のＡチャンネルの期間（〜ｔ１）は、第１スイッチ２０はオン、第１デコーダ１５はオン、第２スイッチ２０はオフ、第２デコーダ１５はオフ、セレクタ２１は、第１デコーダ１５の出力を選択している。
【００３４】
又、チャンネル切換時からＡチャンネルの映像信号が残留する期間（ｔ１〜ｔ２）は、第１スイッチ２０はオフ、第１デコーダ１５はオン、第２スイッチ２０はオン、第２デコーダ１５はオン、セレクタ２１は、第１デコーダ１５の出力を選択している。
【００３５】
又、Ａチャンネルの映像信号の残留が終わる時期からＢチャンネルの映像信号が視聴可能な時期（ｔ２〜ｔ３）は、第１スイッチ２０はオフ、第１デコーダ１５はオン、第２スイッチ２０はオン、第２デコーダ１５はオン、セレクタ２１は、第１デコーダ１５の出力を選択している。
【００３６】
又、Ｂチャンネルの映像信号が視聴可能な時期以降（ｔ３〜）は、第１スイッチ２０はオフ、第１デコーダ１５はオフ、第２スイッチ２０はオン、第２デコーダ１５はオン、セレクタ２１は、第２デコーダ１５’の出力を選択している。
【００３７】
なお、タイミング（ｔ１）から所定時間経過したタイミング（ｔ２）、更に、タイミング（ｔ３）については、実際にデジタル受信装置を稼動させて繰り返し実測値をとることにより決定されることが好適である。
【００３８】
これにより、この複数のデコーダを用いる方法では、図３のデコード処理と同様に、デコード出力停止期間が短縮されるため切換待ち時間を短縮することができるが、複数のデコーダを独立して利用しているので、ＡチャンネルとＢチャンネルとの映像が混在する可能性は非常に低くなるため、動作マージンが大きくなり、より高い動作安定性を示すものである。
【００３９】
（複数デコーダによるチャンネル切換時のデコード処理：図６）  
次に、図１（ｂ）のデジタル放送受信装置Ｒ２のように複数デコーダによる処理を図６を用いて詳細に説明する。図６は、本発明の一実施形態に係る放送受信装置のチャンネル切換時のデコード処理の他の一例を示すタイミングチャートである。
【００４０】
この図６のデコード処理は、一方のデコーダ（大）を非残留映像の表示用に、他方のデコーダ（小）を残留映像の表示用に用いるものである。
【００４１】
すなわち、複数のデコーダの一方（小）を、デコーダに接続されたバッファに残留した映像音声信号の表示のために使用し、複数のデコーダの他方（大）を、チャンネル切換前の第１チャンネルの映像音声信号の表示及び第２チャンネルの映像音声信号の表示のために使用するものである。
【００４２】
すなわち、この複数デコーダによるチャンネル切換時のデコード処理は、放送受信装置Ｒ１の制御部１９が行なうもので、図６に示すスイッチ２０、第１デコーダ１５、スイッチ２０’、第１デコーダ１５’、セレクタ２１の各タイミングの動作を示した表により特定されるものである。ここで、白丸はアクティブ又はスイッチオン、黒丸はイナクティブ又はスイッチオフを示しており、セレクタ２１の“１”は、第１デコーダ１５の出力、“２”は、第２デコーダ１５’の出力が選択されたことを示す。
【００４３】
チャンネル切換前のＡチャンネルの期間（〜ｔ１）は、第１スイッチ２０はオン、第１デコーダ１５はオン、第２スイッチ２０はオン、第２デコーダ１５はオン、セレクタ２１は、第１デコーダ１５の出力を選択している。
【００４４】
又、チャンネル切換時からＡチャンネルの映像信号が残留する期間（ｔ１〜ｔ２）は、
第１スイッチ２０はオン、第１デコーダ１５はオン、第２スイッチ２０はオフ、第２デコーダ１５はオン、セレクタ２１は、第２デコーダ１５’の出力を選択している。
【００４５】
又、Ａチャンネルの映像信号の残留が終わる時期からＢチャンネルの映像信号が視聴可能な時期（ｔ２〜ｔ３）は、第１スイッチ２０はオン、第１デコーダ１５はオン、第２スイッチ２０はオフ、第２デコーダ１５はオン、セレクタ２１は、第２デコーダ１５’の出力を選択している。
【００４６】
又、Ｂチャンネルの映像信号が視聴可能な時期以降（ｔ３〜）は、第１スイッチ２０はオン、第１デコーダ１５はオン、第２スイッチ２０はオフ、第２デコーダ１５はオフ、セレクタ２１は、第１デコーダ１５の出力を選択している。
【００４７】
なお、タイミング（ｔ１）から所定時間経過したタイミング（ｔ２）、更に、タイミング（ｔ３）については、実際にデジタル受信装置を稼動させて繰り返し実測値をとることにより決定されることが好適である。
【００４８】
これにより、この複数のデコーダを用いる方法では、図３のデコード処理と同様に、デコード出力停止期間が短縮されるため切換待ち時間を短縮することができる。そして、更に、複数のデコーダを独立して利用しているので、ＡチャンネルとＢチャンネルとの映像が混在する可能性は非常に低くなるため、動作マージンが大きくなり、高い動作安定性を示すものである。更に、図５の場合とは異なり、図６の実施形態は、二つのデコーダが同等の性能を発揮できない場合、例えば、第２デコーダが小型の場合等、残留分の表示を第２デコーダで行なう等の使用方法が好適である。
【００４９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５０】
【図１】本発明の一実施形態に係る放送受信装置の構成の一例を示すブロック図。
【図２】本発明の特徴をもっていないチャンネル切換時のデコード処理の一例を示すフローチャート。
【図３】本発明の一実施形態に係る放送受信装置のチャンネル切換時のデコード処理の一例を示すフローチャート。
【図４】本発明の一実施形態に係る放送受信装置のチャンネル切換時のデコード処理の一例を示すタイミングチャート。
【図５】本発明の一実施形態に係る放送受信装置のチャンネル切換時のデコード処理の他の一例を示すタイミングチャート。
【図６】本発明の一実施形態に係る放送受信装置のチャンネル切換時のデコード処理の他の一例を示すタイミングチャート。
【符号の説明】
【００５１】
Ｒ１…デジタル放送受信装置、Ｒ２…デジタル放送受信装置、１…チューナ部、１１…チューナ、１２…復調、１３…Ｄｅｍｕｘ、１４…ＳＴＤバッファ、１４’…ＳＴＤバッファ、１５…デコーダ、１５’…デコーダ、１６…映像処理部、１７…ディスプレイ、１８…操作部、１９…制御部、２０…スイッチ、２０’…スイッチ、２１…セレクタ。
【図１】
2008092230.tif 000003
【図２】
2008092230.tif 000004
【図３】
2008092230.tif 000005
【図４】
2008092230.tif 000006
【図５】
2008092230.tif 000007
【図６】
2008092230.tif 000008